(57)【要約】  ＵＭＴＳ  ＴＤＤ無線通信システムのダウンリンクにおいて線形適応等化器受信機を実装するのを容易にするシステム及び方法が説明される。受信された送信のタイムスロットにおける複数の非共通ミッドアンブル系列に基づいて基準信号を生成することができる。前記タイムスロットにおけるチャネル符号に関するトラフィック対パイロット比を生成することができ、前記ミッドアンブルに重みを付けるために特定のミッドアンブルと関連づけられたチャネル符号の相対強度を決定することができる。前記等化器をトレーニングするための基準信号を生成するために複数の前記重み付きミッドアンブルを利用することができ、前記信号内の単一のミッドアンブルと関連づけられたミッドアンブルエネルギーではなく総ミッドアンブルエネルギーの利用を容易にすることができる。【選択図】図４
2010521120.tif 000002
【特許請求の範囲】
【請求項１】
無線通信環境において非共通ミッドアンブル割り当てによって線形適応等化をサポートする方法であって、
タイムスロットにおいて受信されたチャネル符号における非共通パイロット系列を検出することと、
複数の非共通パイロット系列に少なくとも部分的に基づいて基準信号を生成することと、
前記基準信号を利用して等化器がチャネル等化を行うことをトレーニングすること、とを備える、方法。
【請求項２】
アクティブチャネル符号に関するトラフィック対パイロット比を決定することをさらに備える請求項１に記載の方法。
【請求項３】
前記トラフィック対パイロット比を決定することは、
前記タイムスロットにおける前記アクティブ符号の第１のデータ部分及び前記アクティブ符号の第２のデータ部分の相対電力を推定することと、前記データ部分の総相対電力を前記アクティブチャネル符号と関連づけられた前記非共通パイロットの前記送信電力によって除すること、とを備える請求項２に記載の方法。
【請求項４】
デフォルトパイロット割り当て方式を採用することをさらに備える請求項３に記載の方法。
【請求項５】
パイロット系列へのチャネル符号のマッピングを有する線形適応等化器を提供することをさらに備える請求項４に記載の方法。
【請求項６】
パイロット系列に関する重みを前記パイロット系列にマッピングされたチャネル符号の相対強度の合計に少なくとも部分的に基づいて決定することをさらに備える請求項５に記載の方法。
【請求項７】
前記基準信号を生成するために複数の重み付き非共通パイロット系列と関連づけられた総計値を採用することをさらに備える請求項６に記載の方法。
【請求項８】
特定ユーザーパイロット割り当て方式を採用することをさらに備える請求項３に記載の方法。
【請求項９】
パイロット系列へのチャネル符号のマッピングを有する線形適応受信機を提供することをさらに備える請求項８に記載の方法。
【請求項１０】
パイロット系列に関する重みを前記パイロット系列と関連づけられたチャネル符号の相対強度の合計に少なくとも部分的に基づいて決定することをさらに備える請求項９に記載の方法。
【請求項１１】
前記基準信号を生成するために複数の重み付きパイロット系列を採用することをさらに備える請求項１０に記載の方法。
【請求項１２】
前記信号の前記第１及び第２のデータ部分の相対電力を推定するために高速アダマール変換を採用することをさらに備える請求項３に記載の方法。
【請求項１３】
無線通信装置であって、
複数のパイロット系列を備える非共通パイロット割り当てによる信号を受信する受信機と、
チャネル符号及び関連づけられた非共通パイロット系列に関連する情報を格納するメモリと、
前記メモリに格納された情報を解析し及び複数の重み付きパイロットに少なくとも部分的に基づいて基準信号を生成するプロセッサと、を備える無線通信装置。
【請求項１４】
前記受信機は、線形適応等化器である請求項１３に記載の装置。
【請求項１５】
少なくとも１つのチャネル符号及びそれに関連づけられたパイロットに関するトラフィック対パイロット比を決定するトラフィック対パイロット推定器をさらに備える請求項１４に記載の装置。
【請求項１６】
前記トラフィック対パイロット推定器は、複数のチャネル符号の各々の相対電力強度を推定するために高速アダマール変換プロトコルを実行する請求項１５に記載の装置。
【請求項１７】
前記非共通パイロット割り当ては、デフォルトパイロット割り当てである請求項１４に記載の装置。
【請求項１８】
前記プロセッサは、パイロット系列へのチャネル符号のマッピングに関連する前記メモリ内に格納された情報を解析し、各々のパイロット系列にマッピングする全チャネル符号の相対強度の合計に少なくとも部分的に基づいて各パイロット系列に関する該当する重みを決定する請求項１７に記載の装置。
【請求項１９】
前記プロセッサは、前記受信された信号内の重み付きパイロットの合計を備える総パイロットエネルギーに関連する情報を有する前記基準信号を生成する請求項１８に記載の装置。
【請求項２０】
前記プロセッサは、複数の非共通パイロット系列の総エネルギーを用いて前記線形適応等化器をトレーニングするために前記基準信号を前記線形適応等化器に提供する請求項１９に記載の装置。
【請求項２１】
ＵＭＴＳ通信環境において採用される請求項１３に記載の装置。
【請求項２２】
前記ＵＭＴＳ通信環境は、ＵＭＴＳ地上無線アクセス通信環境である請求項２１に記載の装置。
【請求項２３】
無線通信装置であって、
非共通パイロット系列割り当てによる信号を受信するための手段と、
前記信号内におけるチャネル符号に関するトラフィック対パイロット比を評価するための手段と、
複数の非共通パイロット系列に少なくとも部分的に基づいて基準信号を生成するための手段と、を備える、無線通信装置。
【請求項２４】
前記タイムスロットにおけるチャネル符号のデータ部分を推定するための手段をさらに備える請求項２３に記載の装置。
【請求項２５】
前記タイムスロットにおける前記チャネル符号の前記データ部分を推定するために高速アダマール変換を行うための手段をさらに備える請求項２４に記載の装置。
【請求項２６】
前記チャネル符号に割り当てられたパイロット系列の電力によって除された前記データ部分の前記相対電力を備えるトラフィック対パイロット比を決定するための手段をさらに備える請求項２５に記載の装置。
【請求項２７】
前記基準信号を採用することによってチャネル等化器をトレーニングするための手段をさらに備える請求項２６に記載の装置。
【請求項２８】
ＵＭＴＳ地上無線アクセス通信環境において採用される請求項２３に記載の装置。
【請求項２９】
コンピュータによって読み取り可能な媒体であって、
デフォルトパイロット系列割り当てによる信号を受信し、
前記信号内のチャネル符号に関するトラフィック対パイロット比を評価し、及び
複数のデフォルトパイロット系列に少なくとも部分的に基づいて基準信号を生成するためのコンピュータによって実行可能な命令を格納する、コンピュータによって読み取り可能な媒体。
【請求項３０】
前記タイムスロットにおけるチャネル符号のデータ部分を推定するための命令をさらに備える請求項２９に記載のコンピュータによって読み取り可能な媒体。
【請求項３１】
前記タイムスロットにおける前記チャネル符号の前記データ部分を推定するために高速アダマール変換を行う命令をさらに備える請求項３０に記載のコンピュータによって読み取り可能な媒体。
【請求項３２】
前記チャネル符号に割り当てられたパイロット系列の電力によって除された前記データ部分の前記相対電力を備えるパイロット系列に重みを付けるためのトラフィック対パイロット比を決定するための命令をさらに備える請求項３１に記載のコンピュータによって読み取り可能な媒体。
【請求項３３】
前記基準信号を採用することによってチャネル等化器をトレーニングするための命令をさらに備える請求項３２に記載のコンピュータによって読み取り可能な媒体。
【請求項３４】
ダウンリンク送信のタイムスロットにおける非共通パイロット割り当てプロトコルと関係させて線形適応等化器を採用するための命令を実行するプロセッサであって、前記命令は、
デフォルトパイロット系列割り当てによる信号を受信することと、
前記信号内のチャネル符号に関するトラフィック対パイロット比を評価することと、
複数のデフォルトパイロット系列に少なくとも部分的に基づいて基準信号を生成すること、とを備える、プロセッサ。
【請求項３５】
前記信号のタイムスロット内の複数のチャネル符号に関して導き出されたトラフィック対パイロット比に従ってパイロット系列に重みを付けるための命令をさらに備える請求項３４に記載のプロセッサ。
【請求項３６】
ＵＭＴＳ  ＴＤＤ無線通信環境において採用される請求項３４に記載のプロセッサ。
【請求項３７】
複数の非共通ミッドアンブルに基づいて線形適応等化を許可するのを容易にするユーザーデバイスであって、
複数の非共通パイロット系列を備える信号を受信する線形適応等化器と、
タイムスロットにおけるユーザー符号のデータ部分を推定し、トラフィック対パイロット電力比を決定し、及び複数の非共通パイロット系列及びトラフィック対電力比に少なくとも部分的に基づいて前記等化器をトレーニングするための基準信号を生成するプロセッサと、を備える、ユーザーデバイス。
【請求項３８】
前記デバイスは、携帯電話、スマートフォン、ＰＤＡ、ラップトップ、ハンドヘルド通信デバイス、ハンドヘルド計算デバイス、衛星無線、及び全地球測位システムデバイスのうちの少なくとも１つである請求項３７に記載のユーザーデバイス。
【発明の詳細な説明】
【技術分野】
【０００１】
以下の説明は、一般的には、無線通信に関するものである。以下の説明は、より具体的には、非共通ミッドアンブル割り当て方式を線形適応等化器と併用することに関するものである。
【背景技術】
【０００２】
無線通信システムは、世界中の大多数の人々が通信する上での非常に有力な手段になっている。無線通信デバイスは、消費者のニーズを満たすこと及びポータビリティと利便性を向上させることを目的としてますます小型化しかつ強力になってきている。携帯電話等のモバイルデバイスにおける処理電力の増大が、無線ネットワーク送信システムに対する要求の増大に結びついている。該システムは、典型的には、該システムを通じて通信する携帯電話ほど簡単には更新されない。モバイルデバイスの能力が拡大するのに従い、無線デバイスの新しい能力及び改良された能力を完全に利用するのを容易にするような形で旧式の無線ネットワークシステムを維持するのが困難になる可能性がある。
【０００３】
符号分割に基づく技法は、典型的には、１つの範囲内のいずれかの時間において利用可能な幾つかの周波数を通じてデータを送信する。一般的には、データがデジタル化されて利用可能な帯域幅で拡散され、複数のユーザーをチャネル上においてオーバーレイすることができ、さらに各々のユーザーに一意の系列符号を割り当てることができる。ユーザーは、スペクトルの同じ広帯域の塊で送信することができ、各ユーザーの信号は、各々一意の拡散符号によって帯域幅全体に拡散される。この技法は、共有を提供することができ、１つ以上のユーザーが同時並行して送信及び受信することができる。該共有は、拡散スペクトルデジタル変調を通じて達成させることができ、ユーザーのビットストリームが符号化されて疑似ランダム方式で超広チャネルを通じて拡散される。受信機は、特定のユーザーに関するビットをコヒーレントな形で集めるために関連する一意の符号系列を認識してランダム化を元に戻すように設計される。
【０００４】
（例えば周波数分割技法、時分割技法、及び符号分割技法を採用した）典型的無線通信ネットワークは、カバレッジエリアを提供する１つ以上の基地局と、カバレッジエリア内においてデータを送信及び受信することができる１つ以上の移動（例えば無線）端末と、を含む。典型的基地局は、ブロードキャスト、マルチキャスト、及び／又はユニキャストサービスを目的として複数のデータストリームを同時に送信することが可能であり、データストリームは、移動端末が受信に関して独自の関心を有することができるデータの流れである。その基地局のカバレッジエリア内の移動端末は、複合ストリームによって搬送された１つの、２つ以上の又は全部のデータストリームを受信することに関心を有することができる。同様に、移動端末は、基地局又は他の移動端末にデータを送信することができる。基地局と移動端末との間の又は移動端末間での前記通信は、チャネルの変動及び／又は干渉電力の変動に起因して劣化する可能性がある。例えば、上記の変動は、１つ以上の移動端末に関する基地局のスケジューリング、電力制御及び／又はレート予測に対して影響を及ぼす可能性がある。
【０００５】
従来の非共通ミッドアンブル割り当てプロトコル、例えば、デフォルト又は特定ユーザーミッドアンブル割り当て方式、は、典型的には、共通ミッドアンブル割り当てプロトコルを用いて達成可能な復調性能と同じ復調性能を提供しない。従って、当業において該無線通信システムにおけるスループットを向上させるシステム及び／又は方法が必要である。
【発明の概要】
【０００６】
以下は、１つ以上の実施形態についての基本的な理解を可能にするためにこれらの実施形態の単純化された要約を示すものである。この要約は、すべての企図されている実施形態を広範囲にわたって概説したものではなく、全実施形態の主要な又は極めて重要な要素を識別すること及びいずれかの又はすべての実施形態の適用範囲を詳細に説明することのいずれも意図されていない。以下の説明の唯一の目的は、後述される発明を実施するための最良の形態の準備段階として１つ以上の実施形態の幾つかの概念を単純な形で提示することである。
【０００７】
１つ以上の実施形態及びその対応する開示により、通信信号のタイムスロットにおいて受信された非共通ミッドアンブルエネルギーの総計を用いて線形適応等化器をトレーニングすることに関係する様々な側面が説明される。一側面により、無線通信環境において非共通ミッドアンブル割り当てによって線形適応等化をサポートする方法は、タイムスロットにおいて受信されたチャネル符号における非共通パイロット系列を検出することと、複数の非共通パイロット系列に少なくとも部分的に基づいて基準信号を生成することと、前記基準信号を利用して等化器がチャネル等化を行うことをトレーニングすること、とを備えることができる。前記方法は、前記タイムスロットにおけるアクティブチャネル符号の第１のデータ部分及び前記アクティブ符号の第２のデータ部分の相対電力を推定することによって前記アクティブ符号に関するトラフィック対パイロット比を決定することと、前記アクティブチャネル符号と関連づけられた前記非共通パイロットの送信電力によって前記データ部分の総相対電力を除すること、とをさらに備えることができる。前記方法は、パイロット系列に関する重みを、前記パイロット系列にマッピングされたチャネル符号の相対強度の合計に少なくとも部分的に基づいて決定することをさらに備えることができる。前記非共通パイロット系列は、例えば、デフォルトパイロット割り当て方式、特定ユーザーパイロット割り当て方式、等に従って割り当てられたパイロット系列であることができる。前記基準信号を生成して等化器、例えば線形適応等化器、等をトレーニングするために複数の重み付き非共通パイロット系列と関連づけられた総計値を採用することができる。
【０００８】
他の側面により、複数の非共通ミッドアンブル、又はパイロットを利用して線形適応等化器受信機をトレーニングするのを容易にする装置は、複数のパイロット系列を備える非共通パイロット割り当てによる信号を受信する受信機と、チャネル符号及び関連づけられた非共通パイロット系列と関連する情報を格納するメモリと、前記メモリ内に格納された情報を解析して複数の重み付きパイロットに少なくとも部分的に基づいて基準信号を生成するプロセッサと、を備える。前記受信機は、例えば、線形適応等化器受信機であることができる。前記装置は、少なくとも１つのチャネル符号及びそれに関連づけられたパイロットに関するトラフィック対パイロット比を決定するトラフィック対パイロット推定器をさらに備えることができる。前記トラフィック対パイロット推定器は、高速アダマール変換プロトコルを実行して複数のチャネル符号の各々の相対電力強度を推定することができる。前記プロセッサは、パイロット系列へのチャネル符号のマッピングに関連する前記メモリ内に格納された情報を解析することができ、及び各々のパイロット系列にマッピングする全チャネル符号の相対強度の合計に少なくとも部分的に基づいて各パイロット系列に関する該当する重みを決定することができる。前記プロセッサは、単一の非共通パイロット系列のみに関連するパイロットエネルギーではなく全パイロットエネルギーを利用する一方で前記等化器をトレーニングするために前記受信された信号内の重み付きパイロットの合計を備える総パイロットエネルギーに関連する情報を有する向上された基準信号をさらに生成することができる。
【０００９】
さらに他の側面により、非共通ミッドアンブル割り当て方式を線形適応等化器受信機と併用するのを容易にする装置は、非共通パイロット系列割り当てによる信号を受信するための手段と、前記信号内のチャネル符号に関するトラフィック対パイロット比を評価するための手段と、複数の非共通パイロット系列に少なくとも部分的に基づいて基準信号を生成するための手段と、を備えることができる。前記装置は、前記タイムスロットにおけるチャネル符号のデータ部分を推定するための手段と、高速アダマール変換を行って前記タイムスロットにおける前記チャネル符号の前記データ部分を推定するための手段と、前記チャネル符号に割り当てられたパイロット系列の電力によって除された前記データ部分の前記相対電力を備えるトラフィック対パイロット比を決定するための手段とをさらに備えることができる。前記装置は、例えば、ＵＭＴＳ地上無線アクセス通信環境において採用することができる。
【００１０】
さらに他の側面は、デフォルトパイロット系列割り当てによる信号を受信し、前記信号内のチャネル符号に関するトラフィック対パイロット比を評価し、及び複数のデフォルトパイロット系列に少なくとも部分的に基づいて基準信号を生成するためのコンピュータによって実行可能な命令を格納するコンピュータによって読み取り可能な媒体に関連する。前記コンピュータによって読み取り可能な媒体は、前記チャネル符号に割り当てられたパイロット系列の電力によって除された前記データ部分の前記相対電力を備えるパイロット系列に重みを付けるためのトラフィック対パイロット比を決定するための及び前記基準信号を採用することによってチャネル等化器をトレーニングするための命令をさらに備えることができる。
【００１１】
さらに他の側面は、線形適応等化器をダウンリンク送信のタイムスロットにおける非共通パイロット割り当てプロトコルと併用するための命令を実行するプロセッサに関連し、前記命令は、デフォルトパイロット系列割り当てによる信号を受信することと、前記信号内のチャネル符号に関するトラフィック対パイロット比を評価することと、複数のデフォルトパイロット系列に少なくとも部分的に基づいて基準信号を生成すること、とを備える。前記プロセッサは、前記信号のタイムスロットにおける複数のチャネル符号に関して導き出されたトラフィック対パイロット比に従ってパイロット系列に重みを付けるための命令をさらに実行することができる。さらに、前記プロセッサは、ＵＭＴＳ  ＴＤＤ無線通信環境、例えばＵＭＴＳ地上無線アクセス通信環境、において採用することができる。
【００１２】
さらなる側面は、複数の非共通ミッドアンブルに基づいて線形適応等化を許可するのを容易にし、複数の非共通パイロット系列を備える信号を受信する線形適応等化器と、タイムスロットにおけるユーザー符号のデータ部分を推定し、トラフィック対パイロット電力比を決定し、及び複数の非共通パイロット系列及びトラフィック対パイロット電力比に少なくとも部分的に基づいて前記等化器をトレーニングするための基準信号を生成するプロセッサと、を備えるユーザーデバイスに関連する。前記ユーザーデバイスは、例えば、携帯電話、スマートフォン、ＰＤＡ、ラップトップ、ハンドヘルド通信デバイス、ハンドヘルド計算デバイス、衛星無線、全地球測位システムデバイス、等であることができる。
【００１３】
上記の目的及び関連する目的を完遂させるために、１つ以上の実施形態は、以下において十分に説明され、請求項において特に指摘される特徴を備える。以下の説明及び添付図面は、１つ以上の実施形態の一定の例示的側面を詳述するものである。しかしながら、これらの側面は、様々な実施形態の原理を採用することができる様々な方法のうちのほんのわずかを示しており、説明される実施形態は、これらのすべての側面及びその同等の側面を含むことが意図されている。
【図面の簡単な説明】
【００１４】
【図１】１つ以上の実施形態による多元接続無線通信システムの図である。
【図２】１つ以上の側面により、共通ミッドアンブル割り当て方式を線形適応等化器と関係させて実行するのを容易にするシステムの高位ブロック図である。
【図３】様々な側面により、ＵＭＴＳ  ＴＤＤ通信環境においてダウンリンク送信において線形適応等化器受信機と関係させて非共通ミッドアンブル割り当てを利用するのを容易にするシステムを示した図である。
【図４】ここにおいて説明される１つ以上の側面により、非共通プリアンブル割り当てが存在する状態で複数のミッドアンブルに基づく線形適応等化を向上させるのを容易にするシステムの図である。
【図５】ＵＭＴＳ  ＴＤＤ通信システムにおいて非共通ミッドアンブル割り当て方式と関係させて線形適応受信機を実装するための方法を示した図である。
【図６】ここにおいて説明される様々な側面により、線形適応等化器受信機及び非共通ミッドアンブル割り当てを利用してＵＭＴＳ  ＴＤＤ通信環境においてチャネル推定を行うための方法を示した図である。
【図７】様々な実施形態により、特定ユーザーミッドアンブル割り当て方式を線形適応等化器受信機と併用する一方で送信タイムスロットにおける総ミッドアンブルエネルギーを用いたチャネル推定方法を示した図である。
【図８】ここにおいて説明される１つ以上の実施形態により、ＵＭＴＳ  ＴＤＤ無線通信環境において線形適応等化器受信機とともに非共通ミッドアンブル割り当てを採用するのを容易にするユーザーデバイスを示した図である。
【図９】ここにおいて説明される１つ以上の側面により、ＵＭＴＳ  ＴＤＤ無線通信環境においてトラフィック対パイロットエネルギー比に少なくとも部分的に基づいて基準信号を提供するために線形適応等化器受信機を非共通ミッドアンブル割り当て方式と併用するのを容易にするシステムを示した図である。
【図１０】ここにおいて説明される様々なシステム及び方法に関連して採用することができる無線ネットワーク環境を示した図である。
【発明を実施するための形態】
【００１５】
次に、図面を参照して様々な実施形態が説明され、同一のものについては全図面に渡って同一の参照数字を付すこととする。以下では、説明の目的上、１つ以上の実施形態について徹底的に理解できるようにするために数多くの具体的な詳細が示される。しかしながら、該実施形態は、これらの具体的な詳細なしで実践できることが明確であろう。その他の事例においては、１つ以上の実施形態に関する説明を容易にするためによく知られた構造及びデバイスがブロック図形で示される。
【００１６】
この出願において用いられる“構成要素”、““システム”、等の用語は、ハードウェア、ハードウェアとソフトウェアの組み合わせ、ソフトウェア、又は実行中のソフトウェア、のいずれであるかにかかわらず、コンピュータに関連するエンティティを指すことが意図される。例えば、構成要素は、プロセッサ上で実行中のプロセス、プロセッサ、オブジェクト、エクセキュータブル、実行スレッド、プログラム、及び／又はコンピュータであることができるが、これらに限定されない。プロセス及び／又は実行スレッド内には１つ以上の構成要素が常駐することができ、構成要素は、１つのコンピュータ上に局在化する及び／又は２つ以上のコンピュータ間で分散させることができる。さらに、これらの構成要素は、様々なデータ構造が格納されている様々なコンピュータによって読み取り可能な媒体から実行可能である。これらの構成要素は、ローカル及び／又は遠隔プロセスによって、例えば１つ以上のデータパケット（例えば、ローカルシステム又は分散型システム内の他の構成要素と対話中の及び／又はインターネット等のネットワークを通じて信号を用いてその他のシステムと対話中の構成要素からのデータ）を有する信号に従って通信することができる。
【００１７】
さらに、ここにおいては、様々な実施形態が加入者局と関係させて説明される。加入者局は、システム、加入者ユニット、移動局、モバイル、遠隔局、アクセスポイント、基地局、遠隔端末、アクセス端末、ユーザー端末、ユーザーエージェント、又はユーザー装置と呼ぶことも可能である。加入者局は、携帯電話、コードレスフォン、セッション開始プロトコル（ＳＩＰ）フォン、ワイヤレスローカルループ（ＷＬＬ）局、パーソナルデジタルアシスタント（ＰＤＡ）、無線接続能力を有するハンドヘルドデバイス、又は無線モデムに接続されたその他の処理デバイスであることができる。
【００１８】
さらに、ここにおいて説明される様々な側面又は特徴は、標準的なプログラミング及び／又はエンジニアリング技法を用いて製造方法、製造装置、又は製造品として実装することができる。ここにおいて用いられる“製造品”という表現は、コンピュータによって読み取り可能なデバイス、キャリヤ、又は媒体からアクセス可能なコンピュータプログラムを包含することが意図される。例えば、コンピュータによって読み取り可能な媒体は、磁気記憶装置（例えば、ハードディスク、フロッピー（登録商標）ディスク、磁気ストリップ）と、光学ディスク（例えば、コンパクトディスク（ＣＤ）、デジタルバーサタイルディスク（ＤＶＤ））と、スマートカードと、フラッシュメモリデバイス（例えば、カード、スティック、キードライブ）と、を含むことができるが、これらに限定されない。
【００１９】
図１は、１つ以上の実施形態による多元接続無線通信システム１００を示す。３セクター基地局１０２は、複数のアンテナグループ、すなわち、アンテナ１０４と１０６とを含むグループと、アンテナ１０８と１１０とを含む他のグループと、アンテナ１１２と１１４とを含む第３のグループと、を含む。図により、各アンテナグループに関して２本のアンテナのみが示されているが、これよりも多い又は少ない本数のアンテナを各アンテナグループに関して利用することができる。モバイルデバイス１１６は、アンテナ１１２及び１１４と通信状態にあり、アンテナ１１２及び１１４は、順方向リンク１２０を通じてモバイルデバイス１１６に情報を送信し、逆方向リンク１１８を通じてモバイルデバイス１１６から情報を受信する。モバイルデバイス１２２は、アンテナ１０4
４及び１０６と通信状態にあり、アンテナ１０４及び１０６は、順方向リンク１２６を通じてモバイルデバイス１２２に情報を送信し、逆方向リンク１２４を通じてモバイルデバイス１２２から情報を受信する。
【００２０】
各アンテナグループ及び／又はこれらのアンテナが通信するように指定されているエリアは、基地局１０２のセクターとしばしば呼ばれる。例示される実施形態においては、アンテナグループは、各々が、基地局１０２によって網羅されているエリアのセクター内のモバイルデバイスに通信するように設計される。順方向リンク１２０及び１２６を通じての通信においては、基地局１０２の送信アンテナは、異なるモバイルデバイス１１６及び１２２に関する順方向リンクの信号対雑音比を向上させるためにビーム形成技法を利用することができる。さらに、カバレッジエリア全体に無作為に分散されているモバイルデバイスに送信するためにビーム形成を用いる基地局は、単一のアンテナを通じてカバレッジエリア内の全モバイルデバイスに送信する基地局よりも、近隣のセル／セクター内のモバイルデバイスに対してより低い干渉を生じさせる。基地局は、端末と通信するための固定局であることができ、アクセスポイント、ノードＢ、又はその他の何らかの用語で呼ばれることもある。モバイルデバイスは、移動局、ユーザー装置（ＵＥ）、無線通信デバイス、端末、アクセス端末、ユーザーデバイス、又はその他の何らかの用語で呼ばれることもある。ここにおいて説明されるユーザーデバイス、等は、当業者によって明確に理解されるように、例えば、携帯電話、スマートフォン、ラップトップ、ＰＤＡ、ハンドヘルド通信デバイス、ハンドヘルド計算デバイス、衛星無線、全地球測位システム、又は無線ネットワークを通じて通信するためのその他のあらゆる適切なデバイスであることができる。
【００２１】
ここにおいて説明される様々な側面により、非共通ミッドアンブル割り当て方式は、通信アップリンクにおける及び／又はダウンリンクにおけるユーザーデバイスの検出を容易にするために採用することができる。従来のＵＭＴＳ地上無線アクセス（ＵＴＲＡ）時分割複信（ＴＤＤ）システムは、幾つかのミッドアンブル割り当て方式、例えば、特定ユーザーミッドアンブル、デフォルトミッドアンブル、及び／又は共通ミッドアンブルを定義する。典型的には、共通ミッドアンブル割り当ては、ダウンリンク送信のみに適用されており、他方、特定ユーザー及びデフォルト割り当て方式は、ダウンリンク送信と同様にアップリンク送信にも適用されている。特定ユーザーミッドアンブル割り当て方式により、より高い層が特定のミッドアンブルを所定のユーザーデバイスに明示で割り当て、デフォルト割り当て方式は、典型的には、チャネル化符号とミッドアンブルとの間における固定されたマッピングを採用する。
【００２２】
ここにおいて説明される１つ以上の実施形態により、デフォルトミッドアンブル割り当ては、無線通信環境、例えばＵＭＴＳ ＴＤＤシステム、ＵＴＲＡ ＴＤＤシステム、等、においてダウンリンクにおいて線形適応等化器と併用することができる。例えば、デフォルト及び／又は特定ユーザーミッドアンブル割り当て方式は、線形適応チャネル等化を向上させるための様々な側面と併用することができる。
【００２３】
図２は、１つ以上の側面により、共通ミッドアンブル割り当て方式を線形適応等化器と関係させて実行するのを容易にするシステム２００の高位ブロック図である。システム２００は、例示されるように、各々の個々のユーザーに割り当てられた複数の符号２０２乃至２１０を備える。ユーザー符号２０２乃至２１０は、セグメント化され、第１のデータセクション“データ１”、“ミッドアンブル”セクション、及び第２のデータセクション“データ２”が示される。ユーザー符号２０２乃至２１０に関するミッドアンブルは、基準信号ｄと関係させて、ネットワークセクター内の各ユーザーに関するチャネルの推定を生成するためにチャネル等化器２１２によって直接採用される。デフォルト割り当て方式を採用時には、各符号と関連づけられたミッドアンブルは、その他のミッドアンブルと異なり、このため、チャネル推定は、アップリンク又はダウンリンクのいずれにおいて行われているかにかかわらず同じように行うことができる。従って、デフォルト割り当てを使用時には、アップリンク又はダウンリンクにおいて単一の受信機型、例えば線形等化器又はＲＡＫＥフィルタ、を採用することができる。当業者によって理解されるように、図２に示される共通ミッドアンブルを用いることで、チャネル等化器２１２は、チャネル推定を生成し、送信のデータ１部分に関連する情報を受信するトランスバーサルフィルタ２１４にこれらのチャネル推定を提供し、トランスバーサルフィルタ２１４は、逆拡散及びウォルシュデカバリング（ｄｅｃｏｖｅｒｉｎｇ）のための信号を出力する。同様に、チャネル等化器２１２は、送信のデータ２部分に関連する情報を受信し及び逆拡散及びウォルシュデカバリングのために信号を出力するトランスバーサルフィルタ２１６にチャネル推定情報を出力することができる。
【００２４】
図２は、線形適応等化器受信機に関する構造を示し、等化器２１２のトレーニングは、共通ミッドアンブルに基づく。該トレーニングは、希望される基準系列ｄを有するフィルタリングされたミッドアンブルの誤りによって駆動することができる。共通ミッドアンブル割り当て方式においては、系列ｄは、共通ミッドアンブルに対応するミッドアンブル系列であることができる。例えば、これは、ｄ＝ｍｉ，ｊとして表すことができ、ここで、インデックス“ｉ”は、（例えば、特定のノードＢの特徴を表す）特定の基本的ミッドアンブル系列を示すことができ、インデックス“ｊ”は、基本的ミッドアンブル系列の特定のオフセットを示すことができる。従って、送信タイムスロットのミッドアンブル部分における総エネルギーが等化器のトレーニングに関して利用される。
【００２５】
図３は、様々な側面により、ＵＭＴＳ  ＴＤＤ通信環境におけるダウンリンク送信において非共通ミッドアンブル割り当てを線形適応等化器と併用するのを容易にするシステム３００を示す。システム３００は、複数のユーザー符号３０２乃至３１０を備え、これらの複数のユーザー符号の各々は、例えばＵＭＴＳ  ＴＤＤ通信プロトコルと併用されるように、２５６０チップ長のタイムスロットにおいてトレーニング符号（例えば、ミッドアンブル、パイロット、等）によって分離された２つのデータ部分、データ１及びデータ２、を備える。図３に関しては５つのユーザー符号セットが示されるが、当業者によって明確に理解されるように、これよりも多い又は少ない数のユーザー及び／又は符号セットをここにおいて説明されるシステム及び方法と併用可能であることが明確に理解されるであろう。システム３００は、ユーザー符号３０２乃至３１０のミッドアンブル部分に関連する情報に少なくとも部分的に基づいてチャネル推定を行い、送信の第１のデータ部分に関してはトランスバーサルフィルタ３１４に及び送信の第２のデータ部分に関してはトランスバーサルフィルタ３１６に該チャネル推定情報を提供するチャネル等化器３１２をさらに備える。トランスバーサルフィルタ３１４及び３１６は、各の入力データ部分から生成されてチャネル等化器３１２からのチャネル推定情報と関係する出力信号を逆拡散及びウォルシュデカバリングのために出力することができる。
【００２６】
デフォルトミッドアンブル割り当て方式の場合は、同じ又は異なるユーザーによって利用することができる特定の組の符号３０２乃至３１０が特定のミッドアンブル系列にマッピングされる。図により、合計５つのユーザー符号が３つの異なるミッドアンブル系列にマッピングされる。例えば、ユーザー符号３０２及び３０４は、ミッドアンブル系列ｍｒｘ０，１にマッピングされ、ユーザー符号３０６及び３０８は、ミッドアンブル系列ｍｒｘ０，２にマッピングされ、ユーザー符号３１０は、ミッドアンブル系列ｍｒｘ０，３にマッピングされる。当業者によって理解されるように、該ミッドアンブルは、ビーム形成技法がない場合は、同じチャネルを経ることができ、従って同じチャネルインパルス応答によって畳み込みされた同じ基本的ミッドアンブル系列のシフトされたコピーであることができる。従って、等化器３１２のトレーニングが単一のミッドアンブルに基づく場合は、ユーザー符号３０２に関する基準信号は、例えば系列ｍｒｘ０，１であることができる。該シナリオにおいては、総ミッドアンブルエネルギーのうちでミッドアンブル系列ｍｒｘ０，１に対応する部分のみが等化器トレーニングに関して利用される。その結果、従来の非共通ミッドアンブル割り当て方式における単一のミッドアンブル系列に基づく線形適応等化器、例えば等化器３１２、に関する復調性能は、等化器をトレーニング時にミッドアンブルエネルギー全体を利用する、図２に関して説明される共通割り当て方式と比較して低下する可能性がある。
【００２７】
図４は、ここにおいて説明される１つ以上の側面により、非共通ミッドアンブル割り当てが存在する場合における複数のミッドアンブルに基づく線形適応等化を向上させるのを容易にするシステム４００を示す。該側面は、図３に関して上述されるような複数のミッドアンブル系列のうちの１つに基づくのではなく、複数のミッドアンブル系列に基づく等化器トレーニングに関する基準信号を生成することを備えることができる。当業者によって明確に理解されるように、システム４００は、送信タイムスロットにおいて複数のユーザー符号４０２、４０４、４０６、４０８、及び４１０を備えることができるが、これよりも多い又は少ない数のユーザー符号がタイムスロットを占有することができる。各ユーザー符号は、ミッドアンブル系列によって分離することができる第１のデータ部分“データ１”と、第２のデータ部分“データ２”と、を備えることができる。例えば、この例により、５つのユーザー符号４０２乃至４１０は、３つの異なるミッドアンブル系列にマッピングされ、このため、ユーザー符号４０２及び４０４は、ミッドアンブル系列ｍｒｘ０，１にマッピングされ、ユーザー符号４０６及び４０８は、ミッドアンブル系列ｍｒｘ０，２にマッピングされ、ユーザー符号４１０は、ミッドアンブル系列ｍｒｘ０，３にマッピングされる。ユーザー符号及び関連づけられたミッドアンブル系列のその他の置換が可能であること、及び現在の例は限定する意味を有すると解釈することは意図されないことがさらに理解されるであろう。
【００２８】
受信機構造は、各ユーザー符号４０２乃至４１０に関するトラフィック対パイロットエネルギー比を推定することができるＴ２Ｐ比推定器４１８を備えることができ、該推定をチャネル等化器４１２に提供することができる。ここにおいて用いられるトラフィックエネルギー及び／又はトラフィック電力は、ユーザー符号チャネルのデータ部分を指し、パイロット電力は、ミッドアンブル電力と同期である。Ｔ２Ｐ推定は、例えば、送信スロットのデータ部分に関する高速アダマール変換（ＦＨＴ）プロトコルに基づくことができ、送信タイムスロットにおいて特定のユーザー符号チャネル（例えば、ウォルシュ符号、等）が用いられるかどうかを決定するのを容易にする最適しきい値プロトコルを有する。例えば、チャネルがアクティブであると推定することができる最低電力レベルを予め決定することができる。
【００２９】
Ｔ２Ｐ推定器４１８は、すべてのチャネル符号４０２乃至４１０に関するデータ１及びデータ２と関連づけられた総データトラフィック量を決定することができ、及びミッドアンブル、パイロット、又はエネルギーとの比を決定することができ、従ってＴ／ｐ（トラフィックエネルギー／パイロットエネルギー）を評価することができる。これで、該比情報を、ＵＭＴＳ  ＴＤＤ通信環境において線形適応等化器とともに非共通ミッドアンブルを用いてダウンリンクにおいて向上されたチャネル推定を行うためにチャネル等化器４１２に提供することができる。これで、トラフィック対パイロット比を重み付け係数として採用することができる。例えば、所定のチャネル符号に関するＴ２Ｐ比の平方根にそのチャネル符号と関連づけられたミッドアンブルに基づくチャネル推定値を乗じることによってチャネル推定値のスケーリングを容易にすることができる。
【００３０】
全符号の相対強度が判明した時点で、タイムスロット内のすべてのアクティブなミッドアンブルに基づいて新しい基準信号ｄを生成することができる。デフォルトミッドアンブル割り当て方式の場合は、ユーザー符号４０２乃至４１０とミッドアンブル系列との間には既知のマッピングが存在しており、特定のミッドアンブル系列にマッピングする全ユーザー符号の相対強度の合計に基づいてその特定のミッドアンブル系列に関する重みを決定することができる。例えば、図４により、ミッドアンブルｍｒｘ０，１と関連づけられた重みα２は、全ユーザー符号４０２乃至４１０の合計と比較したユーザー符号４０６及び４０８の強度の合計に基づくことができる。ミッドアンブルｍｒｘ０１及びｍｒｘ０，３に関しても同様の重みα１及びα３をそれぞれ決定することができ、ここで、αは、各々のミッドアンブルと関連づけられたユーザー符号のデータ部分におけるエネルギーを表す。これで、新しい基準信号は、すべての重み付きミッドアンブルの合計を用いて生成することができ、従って、特定のユーザー符号に関してＴ２Ｐ推定器４１８によって生成されるＴ２Ｐ比は、すべての重み付きミッドアンブルエネルギー（例えば、タイムスロット内の総ミッドアンブルエネルギー）の合計におけるそのユーザー符号のエネルギーによって説明することができる。さらに加えて及び／又は代替として、特定ユーザーミッドアンブル割り当て方式が採用される場合は、タイムスロットにおける２つ以上の非共通ミッドアンブルに基づいて基準信号を生成するのを容易にするためにユーザー符号とミッドアンブルとの間の関係を受信機において知ることができる。
【００３１】
向上された基準信号が生成された時点で、線形適応チャネル等化器４１２のトレーニングは、標準的プロトコルに従って進行することができる。この方法により、等化器トレーニングは、複数のミッドアンブルが存在する場合においてもタイムスロット内の全ミッドアンブルの総エネルギーを利用して行うことができ、このことは、エネルギー検出を向上させることそして従って等化器トレーニングを向上させることを容易にする。
【００３２】
システム４００は、単一のミッドアンブルと関係して動作する線形適応等化器受信機に関する受信機構造を示す。単一の非共通ミッドアンブルの利用に関連する復調性能の低下を軽減するために、システム４００は、共通ミッドアンブルが存在しない場合においても等化器トレーニングを向上させるために、Ｔ２Ｐ推定器４１８を介してすべての利用可能なミッドアンブルエネルギーを利用する構造を提供する。ここにおいて説明されるシステム及び方法は線形適応等化器に関して説明されるが、複数の非共通ミッドアンブルに基づいて基準信号を生成する同じ概念を、ＲＡＫＥ受信機のパイロットフィルタ、フィンガーの推定、等に関して採用できることが当業者によって明確に理解されるであろう。
【００３３】
図５乃至７に関して、非共通ミッドアンブル割り当て方式を線形適応等化器受信機と併用することに関連する方法が示される。例えば、方法は、ＵＭＴＳ  ＴＤＤ環境、ＯＦＤＭ環境、ＯＦＤＭＡ環境、ＣＤＭＡ環境、ＴＤＭＡ環境、ＴＤＤ環境、ＳＤＭＡ環境、又はその他のいずれかの適切な無線環境において非共通ミッドアンブルを受信機と併用することに関連することができる。説明を単純化することを目的として、これらの方法は一連の行為として示されて説明される一方で、幾つかの行為は、１つ以上の実施形態により、ここにおいて示されて説明される順序と異なる順序で及びその他の行為と同時並行して生じることができるため、これらの方法は行為の順序によって限定されないことが理解及び評価されるべきである。例えば、方法は例えば状態図内におけるように一連の相互に関連する状態又はイベントとして代替で表すことが可能であることを当業者は理解及び評価するであろう。さらに、１つ以上の実施形態に従って方法を実装するためにすべての例示される行為が要求されるわけではない。  
図５は、ＵＭＴＳ  ＴＤＤ無線通信システムにおいて非共通ミッドアンブル割り当て方式と関係させて線形適応受信機を実装するための方法５００を示す。５０２において、線形適応等化器受信機を採用することができる。当業者によって明確に理解されるように、該受信機は、モバイルデバイス、例えば携帯電話、スマートフォン、ＰＤＡ、ラップトップコンピュータ、パソコン、全地球測位システム、ハンドヘルド計算デバイス、ハンドヘルド通信デバイス、又はその他の適切なモバイルデバイスにおいて採用することができる。５０４において、図４に関して描かれるように、特定ユーザーミッドアンブル割り当て、デフォルトミッドアンブル割り当て、等の非共通ミッドアンブル割り当て方式を採用することができる。
【００３４】
５０６において、等化器をトレーニングするために送信タイムスロット内の総ミッドアンブルエネルギーを利用することができ、総ミッドアンブルエネルギーは、タイムスロットにおけるアクティブミッドアンブルの全重み付きエネルギーの合計を備える。ミッドアンブルに重みを付けることは、ミッドアンブル部分と比較した場合におけるタイムスロットのデータ部分と関連づけられたエネルギーのトラフィック対パイロット比の推定を行うことを備えることができる。該推定は、タイムスロットにおける全ミッドアンブルの総エネルギーを利用する基準信号を生成するために採用することができ、先行図に関して説明されるように、等化器を備えるユーザーデバイスに関するチャネルを推定するのを容易にするためにトレーニングに関して等化器に提供することができる。ここにおいて説明される様々な側面はモバイルデバイスにおいて採用される線形適応受信機に関連するが、該受信機は、基地局、ノードＢ、等と関係させて追加で及び／又は代替で利用可能であることがさらに明確に理解されるであろう。さらに、ここにおいて説明される方法は、非共通ミッドアンブル割り当てを用いるＲＡＫＥ受信機に関する向上された基準信号を介してチャネル推定を向上させるために採用することができる。
【００３５】
図６は、ここにおいて説明される様々な側面により、線形適応等化器受信機及び非共通ミッドアンブル割り当てを利用してＵＭＴＳ  ＴＤＤ無線通信環境においてチャネル推定を行うための方法６００を示す。６０２において、タイムスロット内の通信信号をユーザーデバイスに送信するためにデフォルトミッドアンブル割り当て方式を採用することができる。６０４において、各組のユーザー符号に関するトラフィックエネルギーを、送信された各物理チャネルにおいてタイムスロットのデータ部分において推定することができる。タイムスロットは、例えば、典型的にはＵＭＴＳ  ＴＤＤ通信システムと併用されるような２５６０チップのタイムスロットであることができる。さらに６０４において、先行図に関して説明されるようにＴ２Ｐ比推定を行うのを容易にするためにミッドアンブルエネルギーを評価することができる。６０６において、６０４において決定されたＴ２Ｐ比に少なくとも部分的に基づいてミッドアンブル系列重みを評価及び／又は算定することができる。
【００３６】
６０８において、新しい基準信号を生成して線形適応等化器に提供することができる。基準信号は、タイムスロットにおけるアクティブな重み付きミッドアンブルの合計を備えることができ、従って６１０において、タイムスロット内の全ミッドアンブルエネルギーを用いて等化器をトレーニングすることができ、このことは、従来のデフォルト及び／又は特定ユーザーミッドアンブル割り当て方式を用いて利用可能なよりも大きいミッドアンブルエネルギーを提供するのを容易にすることができる。方法６００は、ＲＡＫＥ受信機、又はＴＰ２比と関係させて生成された向上された基準信号から利益を受けることができるその他の適切な受信機においてパイロットフィルタと関係させて利用できることが明確に理解されるであろう。
【００３７】
ミッドアンブルが送信される総エネルギーは、デフォルトミッドアンブル割り当てにおいて単一のミッドアンブルを用いて達成できるよりも高いため、チャネル推定は、非共通ミッドアンブル割り当てを用いて向上された基準信号を採用することによって容易にすることができることがさらに明確に理解されるであろう（例えば、利用可能な帯域幅エネルギー全体にわたって複数のミッドアンブルが割り当てられる）。すなわち、総ミッドアンブルエネルギーを利用することによって、電力が分割されない。各ユーザーの利得は、ミッドアンブルに比例することができ、従って、ミッドアンブル又はチャネルの推定は、関連づけられた利得に関する情報を入手するのを容易にする。
【００３８】
図７は、様々な実施形態により、特定ユーザーミッドアンブル割り当て方式を線形適応等化器受信機と併用する一方で送信タイムスロットにおける総ミッドアンブルエネルギーを用いてチャネル推定を行うための方法７００を示す。７０２において、特定のユーザーデバイスに特定の非共通ミッドアンブルが割り当てられる特定ユーザーミッドアンブル割り当てを採用することができる。７０４において、Ｔ２Ｐ推定を行うことができ、典型的には送信タイムスロットにおけるデータ部分間に挟まれているトレーニングシーケンス（パケット、ミッドアンブル）に割り当てられるチャネル部分と比較してデータ転送に割り当てられたユーザーチャネルの全部分を推定するのを含むことができる。例えば、高速アダマール変換（ＦＨＴ）に基づく手順を利用することで、タイムスロットにおける複数の符号の各々の相対電力強度を決定することができる。
【００３９】
ＴＰ２比は、７０６において、非共通ミッドアンブル割り当て方式において異なるミッドアンブルに関する重みを生成するために利用することができる。ＴＰ２に基づくミッドアンブル重みが生成された時点で、７０８において新しい基準信号を生成することができる。７１０において、例えば線形適応等化器受信機、ＲＡＫＥ受信機、又はその他の適切な受信機型におけるチャネル推定を可能にするために総ミッドアンブルエネルギーを採用することができる。該ミッドアンブルエネルギーは、例えば、送信タイムスロットにおけるすべての重み付き非共通ミッドアンブルの合計を備えることができ、等化器をトレーニングするための基準信号を評価するために利用することができる。
【００４０】
ここにおいて説明される１つ以上の実施形態及び／又は方法により、チャネル推定、ＴＰ２比、等に関する推論を行えることが明確に理解されるであろう。ここにおいて用いられる“推論する”又は“推論”という表現は、一般的には、システム、環境、及び／又はユーザーの状態をイベント及び／又はデータを介して取得された一組の観察事項から推量するか又は推論するプロセスを指す。推論は、特定の状況又は行動を識別するために採用することができるか、又は例えば状態に関する確率分布を生成することができる。推論は、確率論的、すなわち、データ及びイベントの考慮に基づいた対象状態に関する確率分布の計算であることができる。推論は、より高いレベルのイベントを一組のイベント及び／又はデータから組み立てるために採用される技法を指すこともできる。該推論の結果として、新しいイベント又は行動が一組の観察されたイベント及び／又は格納されたイベントデータから構築されることになり、これらのイベントが時間的に接近した形で相互に関連しているかどうか、及びこれらのイベント及びデータが１つ又は幾つかのイベント及びデータ源からのものであるかどうかを問わない。
【００４１】
一例により、上述される１つ以上の方法は、タイムスロット内の幾つかのアクティブ符号に関する推論を、現在のタイムスロットにおいて検出された総電力と比較して、例えば前タイムスロットにおいて検出された幾つかのアクティブ符号及び前タイムスロットにおいて検出された総電力レベルに少なくとも部分的に基づいて行うことを含むことができる。さらにこの例により、第１のタイムスロットにおいて４つのアクティブ符号（例えば、ユーザー、ウォルシュ符号の部分組、等）を検出することができ、Ｘの総電力出力を有する。後続するタイムスロットにおいて、検出される総電力はＸよりも小さい何らかの値（例えば、０．７Ｘ、０．７５Ｘ、０．８Ｘ、．．．）であると決定することができる。後続タイムスロットにおける総電力消費量の検出された低下に基づいて、少なくとも１つの以前に検出されたアクティブ符号セットはもはやアクティブでないと推論することができる。これで、ＴＰ２比決定、チャネル推定、等の前に後続タイムスロットにおける幾つかのアクティブ符号を再評価するための決定を行うのを容易にするために該推論を採用することができる。上例は、例示的な性質を有しており、推論を行うことができる方法及びここにおいて説明される様々なシステム及び／又は方法と関係させて行うことができる推論数を制限することは意図されないことが明確に理解されるであろう。
【００４２】
図８は、ここにおいて説明される１つ以上の実施形態により、ＵＭＴＳ  ＴＤＤ無線通信環境において非共通ミッドアンブル割り当てを線形適応等化器受信機と併用するのを容易にするユーザーデバイス８００を示す。ユーザーデバイス８００は、例えば受信アンテナからの信号を受信する受信機８０２を備え、受信された信号に関する典型的動作（例えば、フィルタリング、増幅、ダウンコンバージョン、等）を行い、コンディショニングされた信号をデジタル化してサンプルを入手する。受信機８０２は、先行図に関して説明されるような線形適応等化器受信機であることができる。復調器８０４は、各シンボル期間に関する副帯域に関する受信シンボルを入手すること、及び受信されたパイロットシンボルをチャネル推定のためにプロセッサ８０６に提供することができる。
【００４３】
プロセッサ８０６は、受信機構成要素８０２によって受信された情報を解析すること及び／又は送信機８１６による送信に関する情報を生成することを専用とするプロセッサ、ユーザーデバイス８００の１つ以上の構成要素を制御するプロセッサ、及び／又は受信機８０２によって受信された情報を解析し、送信機８１６よる送信のための情報を生成し、ユーザーデバイス８００の１つ以上の構成要素を制御するプロセッサであることができる。
【００４４】
ユーザーデバイス８００は、動作可能な形でプロセッサ８０６に結合され及びユーザーデバイスが通信することができるチャネルを推定するのを容易にするチャネル推定器８１２にＴ２Ｐ推定を提供するＴ２Ｐ比較器８１０に関連する情報を格納するメモリ８０８をさらに備えることができる。メモリ８０８は、セクターアイデンティティ、それによって採用された非共通ミッドアンブル、等と関連づけられた情報をさらに格納することができ、従って、ユーザーデバイス８００は、ここにおいて説明される総非共通ミッドアンブル電力に基づく基準信号の生成を容易にするために格納されたプロトコル、アルゴリズム、情報を採用することができる。
【００４５】
ここにおいて説明されるデータ格納装置（例えば、メモリ）構成要素は、揮発性メモリ又は非揮発性メモリであることができ、又は揮発性メモリ及び非揮発性メモリの両方を含むことができる。例として、及び制限することなしに、非揮発性メモリは、読み取り専用メモリ（ＲＯＭ）、プログラマブルＲＯＭ（ＰＰＲＯＭ）、電気的プログラマブルＲＯＭ（ＥＰＲＯＭ）、電気的消去可能ＲＯＭ（ＥＥＰＲＯＭ）、又はフラッシュメモリを含むことができる。揮発性メモリは、外部キャッシュメモリとして動作するランダムアクセスメモリ（ＲＡＭ）を含むことができる。例として、ただし制限することなしに、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、及びダイレクトランバスＲＡＭ（ＤＲＲＡＭ）等の数多くの形態で利用可能である。主題のシステム及び方法のメモリ８０８は、制限されることなしに、これらの型及びその他のあらゆる適切な型のメモリを備えることが意図される。
【００４６】
プロセッサ８０８は、チャネル推定器８１２にさらに結合され、メモリ８０８に格納される情報及び／又はプロセッサ８０６によって受け取られて処理される情報に少なくとも部分的に基づいて通信チャネルを推定するのを容易にすることができる。チャネル推定器８１２は、Ｔ２Ｐ比較器８１０と動作可能な形で関連づけることができ、Ｔ２Ｐ比較器８１０もプロセッサ８０６に結合させることができる。ユーザーデバイス８００は、シンボル変調器８１４と、送信機８１６とをさらに備え、送信機８１６は、Ｔ２Ｐ比較器８１０によって提供されるＴ２Ｐ推定に少なくとも部分的に基づく重み付きミッドアンブル情報を備える基準信号を用いてチャネル推定器８１２によって推定されるチャネルの変調信号を送信する。
【００４７】
図９は、ここにおいて説明される１つ以上の側面により、ＵＭＴＳ  ＴＤＤ無線通信環境においてトラフィック対パイロットエネルギー比に少なくとも部分的に基づいて基準信号を提供するために線形適応等化器受信機を非共通ミッドアンブル割り当て方式と併用するのを容易にするシステム９００を示す。システム９００は、送信アンテナ９０６及び受信アンテナ９０８を介して１つ以上のユーザーデバイス９０４と通信する基地局９０２を備えるが、２つ以上の送信アンテナ及び受信アンテナを様々な側面と併用可能である。基地局９０２は、受信アンテナ９０８から情報を受信し、及び受信された情報を復調する復調器９１２と動作可能な形で関連づけられている受信機９１０、例えば線形適応等化器受信機、を備える。復調された信号は、図８に関して上述されるプロセッサと類似のプロセッサ９１４によって解析することができ、プロセッサ９１４は、ユーザーデバイス９０４に関連する情報、基地局９０２によって利用される非共通ミッドアンブル、タイムスロット情報、等、資源割り当て、及び／又は基地局９０２が非共通ミッドアンブル割り当て方式をここにおいて説明されるような線形適応等化器受信機と併用するのを可能にすることに関連するその他のあらゆる適切な情報を格納するメモリ９１６に結合される。
【００４８】
プロセッサ９１４は、例えば基地局９０２の変調器９２２及び／又は送信機９２４が通信信号を適切に変調して送信アンテナ９０６を介してユーザーデバイス９０４に送信するのを可能にするために通信タイムスロット内の１つ以上のチャネルのデータ部分に関連する情報を処理することができるチャネル推定器９１８にさらに結合される。さらに、チャネル推定器９１８は、タイムスロットにおける所定のチャネルに関するトラフィック対パイロットエネルギー比を決定するＴ２Ｐ比較器９２０に動作可能な形で結合され、この比値は、非共通ミッドアンブルに重みを付けるために利用することができる。例えば、非共通ミッドアンブルは、その非共通ミッドアンブルが割り当てられるチャネル符号に関するＴ２Ｐの平方根をその非共通ミッドアンブルに乗じることによって重みを付けることができる。総ミッドアンブル電力は、例えば、タイムスロットにおいて採用されるすべての重み付きミッドアンブルの合計であることができる。
【００４９】
チャネル推定器９１８は、各々のユーザーデバイス９０４に関するタイムスロットにおける複数のアクティブ符号の各々に関する相対電力強度を推定することができる。例えば、チャネル推定器９１８及び／又はプロセッサ９１４は、電力推定を行うために高速アダマール変換を採用することができる。ミッドアンブル、又はパイロット、電力強度は、タイムスロットのミッドアンブル部分から直接決定することができ、Ｔ２Ｐ比較器９０２は、それによって各アクティブ符号に関するトラフィック対パイロット比を生成することができる。これで、チャネル推定器９１８は、関連づけられた所定の符号に関するＴ２Ｐ比の平方根をミッドアンブルからのチャネル推定値に乗じて所定のユーザーデバイス９０４に関するスケーリングされたチャネル推定値をダウンリンク送信のために提供することができる。全ミッドアンブルに重みが付けられた時点で、その総エネルギーを向上されたチャネル等化を容易にするために利用することができ、単一の非共通ミッドアンブルのみを採用する従来のシステムよりも増大された電力検出エネルギーを提供する。すべての非共通ミッドアンブルと関連づけられた総エネルギーの利用は、符号又はユーザー間でミッドアンブル電力が分割されないようにし、従って所定の個々の特定ユーザーミッドアンブル又はデフォルトミッドアンブルよりも検出が簡単であり、従って向上された検出能力そしてそのため向上されたチャネル推定を可能にすることが明確に理解されるであろう。
【００５０】
図１０は、典型的無線通信システム１０００を示す。無線通信システム１０００は、説明を簡潔するために１つの基地局及び１つの端末を描く。しかしながら、システムは、２つ以上の基地局及び／又は２つ以上の端末を含むことができ、追加の基地局及び／又は端末は後述される典型的基地局及び端末と実質的に類似すること又は異なることができることが明確に理解されるべきである。さらに、基地局及び／又は端末は、両者間での無線通信を容易にするためのここにおいて説明されるシステム（図１乃至４及び８乃至９）及び／又は方法（図５乃至７）を採用できることが明確に理解されるべきである。
【００５１】
次に図１０に関して、ダウンリンクにおいて、アクセスポイント１００５において、送信（ＴＸ）データプロセッサ１０１０は、トラフィックデータを受け取り、フォーマット化、符号化、インターリービング、及び変調（又はシンボルマッピング）し、変調シンボル（“データシンボル”）を提供する。シンボル変調器１０１５は、データシンボル及びパイロットシンボルを受け取って処理し、シンボルストリームを提供する。シンボル変調器１０２０は、データ及びパイロットシンボルを多重化し、それらを送信機ユニット（ＴＭＴＲ）１０２０に提供する。各送信シンボルは、データシンボル、パイロットシンボル、又はゼロの信号値であることができる。パイロットシンボルは、各シンボル期間に連続的に送信することができる。パイロットシンボルは、周波数分割多重化（ＦＤＭ）、直交周波数分割多重化（ＯＦＤＭ）、時分割多重化（ＴＤＭ）、周波数分割多重化（ＦＤＭ）、又は符号分割多重化（ＣＤＭ）することができる。
【００５２】
ＴＭＴＲ１０２０は、シンボルストリームを受け取って１つ以上のアナログ信号に変換してそのアナログ信号をさらにコンディショニング（例えば、増幅、フィルタリング、周波数アップコンバージョン）し、無線チャネルでの送信に適するダウンリンク信号を生成する。ダウンリンク信号は、アンテナ１０２５を通じて端末に送信される。端末１０３０において、アンテナ１０３５は、ダウンリンク信号を受信し、受信された信号を受信機ユニット（ＲＣＶＲ）１０４０に提供する。受信機ユニット１０４０は、受信された信号をコンディショニング（例えば、フィルタリング、増幅、及び周波数アップコンバージョン）し、コンディショニングされた信号をデジタル化してサンプルを入手する。シンボル復調器１０４５は、受信されたパイロットシンボルを復調してチャネル推定のためにプロセッサ１０５０に提供する。シンボル復調器１０４５は、プロセッサ１０５０からダウンリンクに関する周波数応答推定をさらに受け取り、受信されたデータに関してデータ復調を行って（送信されたデータシンボルの推定である）データシンボル推定を入手し、データシンボル推定をＲＸデータプロセッサ１０５５に提供し、ＲＸデータプロセッサ１０５５は、データシンボル推定を復調（すなわち、シンボルデマッピング）、デインターリービング、及び復号して送信されたトラフィックデータを復元する。シンボル復調器１０４５及びＲＸデータプロセッサ１０５５による処理は、アクセスポイント１００５におけるシンボル変調器１０１５及びＴＸデータプロセッサ１０１０による処理をそれぞれ補完するものである。
【００５３】
アップリンクにおいて、ＴＸデータプロセッサ１０６０は、トラフィックデータを処理してデータシンボルを提供する。シンボル変調器１０６５は、データシンボルを受け取ってパイロットシンボルと多重化し、変調を行い、シンボルストリームを提供する。送信機ユニット１０７０は、シンボルストリームを受け取って処理してアップリンク信号を生成し、アップリンク信号は、アンテナ１０３５によってアクセスポイント１００５に送信される。
【００５４】
アクセスポイント１００５において、端末１０３０からのアップリンク信号がアンテナ１０２５によって受信されて受信機ユニット１０７５によって処理されてサンプルが入手される。次に、シンボル復調器１０８０は、これらのサンプルを処理して受信されたパイロットシンボル及びデータシンボル推定をアップリンクのために提供する。ＲＸデータプロセッサ１０８５は、データシンボル推定を処理して端末１０３０によって送信されたトラフィックデータを復元する。プロセッサ１０９０は、アップリンクにおいて送信する各アクティブ端末に関するチャネル推定を行う。複数の端末がアップリンクにおいて各々の割り当てられた組のパイロット副帯域で同時並行してパイロットを送信することができ、パイロット副帯域の組はインタレースすることができる。
【００５５】
プロセッサ１０９０及び１０５０は、アクセスポイント１００５及び端末１０３０における動作をそれぞれ指示する（例えば、制御、調整、管理、等）。各々のプロセッサ１０９０及び１０５０は、プログラムコード及びデータを格納するメモリユニット（示されていない）と関連づけることができる。プロセッサ１０９０及び１０５０は、アップリンク及びダウンリンクに関する周波数及びインパルス応答推定値をそれぞれ導き出すための計算を行うこともできる。
【００５６】
多元接続システム（例えば、ＦＤＭＡ、ＯＦＤＭＡ、ＣＤＭＡ、ＴＤＭＡ、等）に関して、複数の端末がアップリンクにおいて同時並行して送信することができる。該システムに関して、パイロット副帯域を異なる端末間で共有することができる。チャネル推定技法は、各端末に関するパイロット副帯域が動作帯域全体（可能なことに帯域の縁を除く）にまたがる場合に用いることができる。該パイロット副帯域構造は、各端末に関する周波数ダイバーシティを入手するのに望ましい。ここにおいて説明される技法は、様々な手段で実装することができる。例えば、これらの技法は、ハードウェア内において、ソフトウェア内において、又はその組合せ内において実装することができる。ハードウェア内に実装する場合は、チャネル推定のために用いられる処理ユニットは、ここにおいて説明されている機能を果たすように設計された１つ以上の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、その他の電子装置、又はその組合せ内に実装することができる。ソフトウェアに関しては、実装は、ここにおいて説明される機能を果たすモジュール（例えば、手順、関数、等）を通じて行うことができる。ソフトウェアコードは、メモリユニットに格納し、プロセッサ１０９０及び１０５０によって実行することができる。
【００５７】
ソフトウェア内に実装する場合は、ここにおいて説明されている技法は、ここにおいて説明される機能を実行するモジュール（例えば、手順、関数、等）とともに実装することができる。ソフトウェアコードは、メモリユニットに格納してプロセッサによって実行することができる。メモリユニットは、プロセッサ内に実装すること又はプロセッサの外部において実装することができ、プロセッサの外部において実装する場合は、当業において知られる様々な手段を介して通信可能な形でプロセッサに結合させることが可能である。
【００５８】
上述されていることは、１つ以上の実施形態の例を含む。当然のことであるが、上記の実施形態を説明することを目的として構成要素又は方法の考えられるあらゆる組み合わせを説明することは可能ではないが、様々な実施形態のさらに数多くの組み合わせ及び置換が可能であることを当業者は認識することができる。従って、説明される実施形態は、添付された請求項の精神又は適用範囲内にあるあらゆる変更、修正及び変形を包含することが意図されている。さらに、発明を実施するための形態又は請求項の範囲において「含む」という表現が用いられている限りにおいて、該表現は、「備える」いう表現が請求項において移行語として採用されたときの解釈と同様の包含性を有することが意図されている。
【図１】
2010521120.tif 000003
【図２】
2010521120.tif 000004
【図３】
2010521120.tif 000005
【図４】
2010521120.tif 000006
【図５】
2010521120.tif 000007
【図６】
2010521120.tif 000008
【図７】
2010521120.tif 000009
【図８】
2010521120.tif 000010
【図９】
2010521120.tif 000011
【図１０】
2010521120.tif 000012
【国際調査報告】
2010521120.tif 000013
2010521120.tif 000014
2010521120.tif 000015